(57)【要約】【課題】本発明は、バンドとバックルの係合強度が経時的に低下することがなく、かつ、軽量小型でアセンブリが容易なバックルのアセンブリ方法を提供することを目的とするものである。【解決手段】本発明のバックルのアセンブリ方法は、バンドに形成した係合溝にバックルの係合爪を係合可能としたバックルのアセンブリ方法であって、筐体に設けた軸受にロック片の軸を、カバーに弾性スライド片をそれぞれ設置し、前記筐体に前記カバーを無理嵌め方式で固定することにより、前記ロック片および前記弾性スライド片が前記バックルに完全に内蔵されることを特徴とする。【選択図】図１
2017000543.tif 000002
【特許請求の範囲】
【請求項１】
バンドに形成した係合溝にバックルの係合爪を係合可能としたバックルのアセンブリ方法であって、
該バックルは内部をバンドの挿通空間とした筐体とカバーとからなり、前記バンドの係合溝に係合可能な係合爪を有するロック片および該ロック片の近傍を移動可能な弾性スライド片が内蔵され、
前記ロック片はその中間点付近に設けられた軸を支点としてバックル内部で揺動自在とされ、前記バンドの係合溝に前記係合爪を係合させ該係止状態において前記バンドを前記バックルの挿通空間内に進入させていくと、前記バンドが前記ロック片の係合爪を押し上げながら前進し、前記ロック片は前記弾性スライド片に接触することによる反動で初期状態に戻ることによってバンドはバックルに接近自在であるが後退不能とされ、
前記弾性スライド片にはつまみが一体となって設けられ、前記弾性スライド片を移動することにより前記バンドとバックルの係合が解除されるバックルにおいて、
前記筐体に設けた軸受に前記ロック片の軸を、前記カバーに前記弾性スライド片をそれぞれ設置し、前記筐体に前記カバーを無理嵌め方式で固定することにより、前記ロック片および前記弾性スライド片がバックルに完全に内蔵されることを特徴とするバックルのアセンブリ方法。
【請求項２】
前記カバーに前記弾性スライド片を水平方向にスライドして設置できるように、前記カバーの一側面に前記弾性スライド片の挿入口を設け、前記筐体に前記カバーを固定することにより前記挿入口が閉じられることを特徴とする請求項１記載のバックルのアセンブリ方法。
【請求項３】
前記バックルを覆うためのフードに前記つまみが可動する範囲で開口部が設けられ、該開口部に前記弾性スライド片を挿入して設置した後で、前記バックルのアセンブリを行うことを特徴とする請求項１または２記載のバックルのアセンブリ方法。
【発明の詳細な説明】
【技術分野】
【０００１】
この発明は、係合溝を有するバンドまたはベルトを係止するためのバックルのアセンブリ方法に関し、特に、時計バンド、スマートフォンまたは携帯型ミュージックプレーヤー用のアームバンドまたはリストバンド、靴または靴用のバンドまたはベルトと一緒に用いられるバックルのアセンブリ方法に関するものである。
【背景技術】
【０００２】
本発明者は、特許第５１９２６０７号（特許文献１）において、バンドとバックルの係合強度が経時的に低下することがなく、かつ、軽量で小型かつ製作容易なバックルとして、バンド外表面に形成した鋸歯状の係合溝にバックルの係合爪を係合可能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作片とから構成すると共に、該操作片を中間点にて前記両側板を結ぶ連結軸で支承することにより該中間点を支点として揺動自在としたバックルにおいて、前記操作片の揺動を制御する制御片が前記バックル本体に設けられ、前記バンドの係合溝に前記係合爪を係合させ該係止状態において前記バンドを前記バックルの挿通空間内に進入させていくと、前記バンドの上面が前記操作片の係合爪に接触して前記操作片の一端部を押し上げながら前進し、前記操作片は前記制御片に接触することによる反動で初期状態に戻ることによってバンドはバックルに接近自在であるが後退不能とされるものを提案している。  
【０００３】
また、本発明者らは、特許第５７０６８６９号（特許文献２）において、バンドとバックルの係合強度が経時的に低下することがなく、かつ、バックル厚が薄く軽量かつ製作容易なバンドとバックルのスライドアジャスタとして、バンドの縁部に沿って形成した鋸歯状の係合溝にバックルの係合爪を係合可能としたバンドとバックルのスライドアジャスタにおいて、前記バックルを、対向する底板と天板および両者を接続する側板とからなり内部をバンドの挿通空間としたバックル本体と、該バックル本体の内側に設置され、一端部に前記バンドの係合溝に係合可能な係合爪を有する操作片とから構成すると共に、該操作片を中間点にて前記底板および天板を結ぶ連結軸で支承することにより該中間点を支点として揺動自在とし、前記操作片の揺動を制御する制御片が前記バックル本体に設けられ、前記バンドの係合溝に前記係合爪を係合させ該係止状態において前記バンドを前記バックルの挿通空間内に進入させていくと、前記バンドの縁部が前記操作片の係合爪に接触して前記操作片の一端部を押し上げながら前進し、前記操作片は前記制御片に接触することによる反動で初期状態に戻ることによってバンドはバックルに接近自在であるが後退不能とされるものを提案している。
【０００４】
前記バックルおよび前記スライドアジャスタは、バンドとバックルの係止状態において制御片が操作片の揺動を制御するバネの機能を果たすため、バンドとバックルの係合強度が経時的に低下することがなく、かつ、コイルバネ等の別部品を設けることなく軽量で小型なバックルまたはスライドアジャスタを提供することができるが、前記バックルを小型化するとバックルに内蔵する部品も小さくなるため、バックルに部品を内蔵するアセンブリ作業が困難であった。
また、ピンセット等の工具を使った高度の集中力と技術力を要するため、アセンブリをすることができる作業者が限定され、量産を行うための人員確保が難しい上に、製造工程で不良品が出る可能性が高く、結果として製造原価が高くなるという問題があった。
【先行技術文献】
【特許文献】
【０００５】
【特許文献１】特許第５１９２６０７号公報
【特許文献２】特許第５７０６８６９号公報
【発明の概要】
【発明が解決しようとする課題】
【０００６】
本発明は、バンドとバックルの係合強度が経時的に低下することがなく、かつ、軽量で小型かつアセンブリが容易なバックルを提供することを目的とするものである。
【課題を解決するための手段】
【０００７】
本発明のバックルのアセンブリ方法は、バンドに形成した係合溝にバックルの係合爪を係合可能としたバックルのアセンブリ方法であって、該バックルは内部をバンドの挿通空間とした筐体とカバーとからなり、前記バンドの係合溝に係合可能な係合爪を有するロック片および該ロック片の近傍を移動可能な弾性スライド片が内蔵され、前記ロック片はその中間点付近に設けられた軸を支点としてバックル内部で揺動自在とされ、前記バンドの係合溝に前記係合爪を係合させ該係止状態において前記バンドを前記バックルの挿通空間内に進入させていくと、前記バンドが前記ロック片の係合爪を押し上げながら前進し、前記ロック片は前記弾性スライド片に接触することによる反動で初期状態に戻ることによってバンドはバックルに接近自在であるが後退不能とされ、前記弾性スライド片にはつまみが一体となって設けられ、前記弾性スライド片を移動することにより前記バンドとバックルの係合が解除されるバックルにおいて、前記筐体に設けた軸受に前記ロック片の軸を、前記カバーに前記弾性スライド片をそれぞれ設置し、前記筐体に前記カバーを無理嵌め方式で固定することにより、前記ロック片およびスライド片がバックルに完全に内蔵されることを特徴とする。
【０００８】
前記カバーに前記弾性スライド片を水平方向にスライドして設置できるように、前記カバーの一側面に前記弾性スライド片の挿入口を設け、前記筐体に前記カバーを固定することにより前記挿入口が閉じられることが好ましい。
【０００９】
前記バックルを覆うためのフードに前記つまみが可動する範囲で開口部を設け、該開口部に前記弾性スライド片を挿入して設置した後で、前記バックルのアセンブリを行うことが好ましい。
【発明の効果】
【００１０】
本発明のバックルは、バンドとバックルの係止状態において前記制御片が前記操作片の揺動を制御するバネの機能を果たすため、バンドとバックルの係合強度が経時的に低下することがなく、かつ、小型でアセンブリが容易なバックルを提供することができる。従って、このバックルは時計バンド等の比較的バックルの小型化を必要とする製品への適用が最適である。
【図面の簡単な説明】
【００１１】
【図１】本発明に係るバックル１０を構成する各部品の斜視図であって、図１（１）は筐体３０、図１（２）はカバー２０、図１（３）はロック片、図１（４）は弾性スライド片である。
【図２】本発明のバックルのアセンブリ方法を示す図であって、図２（１）はカバー２０に弾性スライド片４０が設置された状態、図２（２）は筐体３０にロック片５０が設置された状態、図２（３）はアセンブリが完成した状態を示す図である。
【図３】本発明の他の実施形態を示す図である。
【図４】バックル１０とバンド６０の係合状態を示す要部縦断側面図である。
【図５】本発明の別の実施形態を示す図である。
【発明を実施するための形態】
【００１２】
以下、本発明に係るバックルのアセンブリ方法の実施形態を図面に基づいて説明する。
図１はバックル１０を構成する各部品の斜視図であり、図１（１）にはバックル１０を構成する筐体３０が図示されている。筐体３０はバンドのスライド方向が挿通口３５として開口され、その内部は後述する係合溝を有するバンドの挿通空間となる。また、筐体３０はバンドの挿通空間の上部がロック片を設置できるように開口されており、該開口部３３にロック片の軸を受けることが可能な軸受３４が凹状に設けられる。
【００１３】
図１（２）にはバックル１０を構成するカバー２０が図示されており、カバー２０は弾性スライド片がスライド移動することのできるスライドガイド２３をその内部に有し、その上部には弾性スライド片のつまみをバックル１０の上部から露出させるための開口部２４を有すると共に、一側面が弾性スライド片を設置できるよう弾性スライド片の挿通口２５として開口される。
【００１４】
図１（３）にはバックル１０を構成するロック片５０が図示されている。該ロック片５０の一端部５０Ａの下面には、バンド６０の係合溝に係合可能な係合爪５１を突設している。ロック片５０の長手方向の中間点付近には、軸５２が形成される。この軸５２は筐体３０の軸受に設置される結果、ロック片５０は軸５２を支点として揺動自在とされる。
この実施形態では軸５２の断面を円形としたが、楕円形、その他種々の断面形状とすることができる。軸５２はロック片５０を揺動自在に軸支すると共に、滑らかな操作性を確保する為に可及的に細くすることが望まれるが、反復的な揺動により破損しない形状、大きさとすれば良い。
【００１５】
本発明において、ロック片５０の材質に格別の制限はなく、弾性を有する合成樹脂の他、弾性を有しない金属や樹脂等の硬い素材を用いても良い。これらの硬い素材を用いた場合はロック片５０の強度が上がるので、バンド６０とバックル１０の係合強度が向上する。
【００１６】
図１（４）にはカバー２０に設置される弾性スライド片４０が図示されている。弾性スライド片４０の形状に格別の制限はなく、後記するようにロック片５０の揺動を制御する機能を果たすものであれば良い。本実施形態では、弾性スライド片４０は、カバー２０内部のスライドガイド２３に嵌合する嵌合部４１とロック片５０の揺動を制御する制御部４２を有すると共に、弾性スライド片４０をスライドガイド２３に沿って操作するためのつまみ４３が一体となって設けられている。
【００１７】
つまみ４３の形状や大きさに格別の制限はなく、スライド操作を容易に行うことができるものであれば良い。本実施形態では、つまみ４３は扁平な楕円形で形成されているが、円形、矩形、その他種々の形状とすることができる。また、つまみは弾性スライド片４０に一体となって設けられているので、スライド操作を繰り返し行うことによる破損の虞がない。
【００１８】
弾性スライド片４０は、可撓性を有する合成樹脂により成型することができ、後述するように、ロック片５０に対してバネの機能を果たす必要があるので、ポリアセタール、ポリオキシメチレン、ポリアミド、ポリカーボネートなどの弾性を有する合成樹脂により成型することが好ましい。
【００１９】
次に、本発明に係るバックルのアセンブリ方法について図２を参照しながら説明する。先ず、図２（１）に示す通り弾性スライド片４０をカバー２０の挿通口２５から挿入して、弾性スライド片４０の嵌合部４１をカバー２０のスライドガイド２３に嵌合させつつ設置する。また、図２（２）に示す通り筐体３０の開口部３３から軸受３４にロック片５０の軸５２を設置する。この状態では、弾性スライド片４０をカバー２０の挿通口２５から取り外すことも、ロック片５０を筐体３０から取り外すことも容易にできる。
【００２０】
続いて、ロック片５０が設置された筐体３０（図２（２））に弾性スライド片４０が設置されたカバー２０（図２（１））を無理嵌め方式で固定する。その結果として、弾性スライド片４０およびロック片５０はバックル１０に完全に内蔵される（図２（３）参照）。前記の無理嵌め方式に格別の制限はなく、本実施形態ではカバー２０に設けたフック２１を筐体３０に設けたフック溝３１に、筐体３０に設けたフック３２、３２をカバー２０に設けたフック溝２２、２２にそれぞれ嵌合することで、カバー２０が筐体３０に完全に固定される。
なお、図３に示す実施形態ではカバー２０にフック２１、２１、２１、２１を、筐体３０にフック溝３１、３１、３１、３１をそれぞれ設けている（図３（１）および（２）参照）。本実施形態では、筐体３０にロック片５０を、カバー２０に弾性スライド片４０をそれぞれ設置した後で、フック２１、２１、２１、２１をフック溝３１、３１、３１、３１にそれぞれ嵌合することで、前記ロック片５０および前記弾性スライド片４０がバックル１０に完全に内蔵される。
【００２１】
本発明に係るバックルのアセンブリ方法によれば、熟練の技術を要することなく誰でも簡単にバックルのアセンブリができる。超音波溶着や熱溶着等の加工が不要であり、その他の接着材を使用する必要もないので、部品を破損するおそれがなく、不良品も出ない。また、本実施形態のアセンブリ方法によれば、弾性スライド片４０をカバー２０の挿入口２５からスライドして入れるだけなので、アセンブリが容易であることに加えて、一旦フックとフック溝を嵌合すれば前記挿入口２５が閉じられるのでバックル１０自体の強度が上がると共に外観も優れたものになる。
【００２２】
続いて、上記バックル１０の作用について図３を参照しながら説明する。図４（１）はバックル１０とバンド６０の係合状態を示す要部縦断側面図である。
図４（１）において、バックル１０の挿通空間３６内にバンド６０が挿入され、バンド６０に形成された係合溝６１に、バックル１０の係合爪５１が係合している。係合溝６１はスライド方向の断面形状が鋸歯状、即ち、バンド６０の進行方向に向けて漸次深くなるテーパ面と、この最深位置より略垂直に立上る壁面とからなっている。
【００２３】
バンド６０をロック片５０の他端部５０Ｂ側（図４において右側）の挿通口３５から挿通空間３６内に進入させていくと、バンド６０の上面がロック片５０の係合爪５１に接触して、ロック片５０の一端部５０Ａを押し上げながら前進し（図４（２）参照。）、ロック片５０は弾性スライド片４０に接触することによる反動で初期位置に戻り、バックル１０に対するバンド６０の接近・離隔位置が調節される（図３（３）参照。）。つまり、弾性スライド片４０がロック片５０をバンド６０の係合溝６１側に付勢するバネの機能を果たすので、この状態では係合爪５１が所定の係合溝６１と噛み合って係止し、バンド６０はバックル１０に対して進出自在であるが、後退不能である。
【００２４】
本発明に係るバックル１０は、軸５２自体の弾性を利用するものではないため、軸５２に弾性を有しない金属や樹脂等の素材を用いれば、バックル１０を小型化するために軸５２を細くしても、バンド６０をバックル１０から引き離す方向に強い力が作用した際に軸５２が破損する虞はない。また、軸５２の弾性力がクリープ現象（合成樹脂に対して長時間強い圧力がかかっていると合成樹脂がゆっくりと変形する性質）に起因して経時的に低下することによる係合強度弱化の虞もない。
また、弾性スライド片４０がバネの機能を果たすのでコイルバネ等を別部品として設ける必要はなく、部品点数を最小限に抑えることができることに加えて、バックル１０の構造をより簡便なものとすることができる。
【００２５】
次に、バックル１０からバンド６０を後退させたり、引き抜いたりするには、図４（４）に示すように弾性スライド片４０をロック片５０の他端部５０Ｂ側にスライドガイド２３に沿ってスライドさせれば、軸５２を中心としてロック片５０が回転する結果、反対側に位置するする係合爪５１が持ち上がり、係合爪５１が係合溝６１から外れるので、バンド６０を自由にスライドさせることができる。弾性スライド片４０をスライドガイド２３に沿って元の位置に戻せば、ロック片５０は元の状態に復帰する。本実施形態において、スライド２３ガイドをカバー２０の側壁に溝部として形成したが、弾性スライド片４０のスムーズな移動をガイドできるものであればスライドガイド２３の位置や形状に格別の制限はない。
【００２６】
本発明係るバックルによれば、弾性スライド片４０をロック片５０の他端部５０Ｂ側にスライドさせればバンド６０を片手で自由にバックル１０から引き抜くことが可能となる。したがって、片手操作が必須である時計バンド等に用いられるバックルとして最適である。
【００２７】
続いて、本発明に係るバックル１０のアセンブリ方法の他の実施形態について、図５を参照しながら説明する。図５（１）はバックルを覆うためのフード７０の側面図であり、バックル１０のつまみ４３が可動する範囲で開口部７１が設けられている。図５（２）は前記フード７０の底面図でありバックル１０を内蔵するための開口部７３を有する。本実施形態では、まず前記開口７１から弾性スライド片４０を挿入して前記フード７０の内部に設置する（図５（３）参照）。次にカバー２０を前記開口部７３から導入しつつ、既に前記フード７０の内部に設置された前記弾性スライド片４０を前記カバー２０に設置する（図５（４）参照）。さらに、予めロック片５０を設置したバックル１０の筐体３０を前記開口部７３から導入しつつ、既に前記フード７０の内部に設置された前記カバー２０を前記筐体３０に無理嵌め方式で固定する（図５（５）参照）。図５（６）は、前記フード７０にバックル１０が完全に内蔵された状態を示す側面図であり、フード７０の開口７１からつまみ４３が露出している。  
【００２８】
本実施形態のバックルのアセンブリ方法によれば、バックル１０のつまみ４３をフード７０の開口部７１よりも大きなサイズとしつつ、フード７０の開口部７１をその側面において完全に閉じられた領域で構成することができるので、つまみ４３を大きくして弾性スライド片４０の操作を容易にするのと同時にフード７０のデザイン自由度を高くすることが可能となる。
【符号の説明】
【００２９】
１０    バックル
２０    カバー
２１    フック
２２    フック溝
２３    スライドガイド
２４    開口部
２５    挿通口
３０    筐体
３１    フック溝
３２    フック
３３    開口部
３４    軸受
３５    挿通口
４０    弾性スライド片
４１    嵌合部
４２    制御部
４３    つまみ
５０    ロック片
５１    係合爪
５２    軸
６０    バンド
６１    係合溝
７０    フード
７１    開口部
７３    開口部
【図１】
2017000543.tif 000003
【図２】
2017000543.tif 000004
【図３】
2017000543.tif 000005
【図４】
2017000543.tif 000006
【図５】
2017000543.tif 000007